(57)【特許請求の範囲】
【請求項１】
４隅にホールカバーをフロアに締結するためのボルトを通過させる切欠凹部が形成され、ステアリングシャフトを貫通するためにフロアに開設されている開口部の周囲と前記ホールカバーとの間に挾みこまれる防水シール部及び前記ステアリングシャフトを貫通する穴が開設され前記開口部を塞ぐダストシール部とが一体形成されたゴムプレートと、
前記ホールカバーの前記フロアに開設されている開口部の周囲と前記ホールカバーとの間に挾みこまれたゴムプレートの外周で前記切欠凹部に対応する４隅に前記ボルトによりホールカバーをフロアに締結するために形成された締付座面とからなり、
前記防水シール部には前記ホールカバーの締付座面から離間した部位にフロアに圧接するリップを備え、前記締付座面のボルト締めにより前記ゴムプレートをホールカバーとフロアとの間に介在挟着して、この圧縮力によって前記リップをフロアに圧接したことを特徴とするステアリングコラムのダストカバー構造。
【発明の詳細な説明】
【０００１】
【発明の属する技術分野】
本発明は、ステアリングコラムのダストカバー構造に関するものである。
【０００２】
【従来の技術】
車両のステアリングコラムを貫通するフロアの開口部には図６で示すように、ホールカバー７が防水シール部材１１を介してボルト締めによって固定され、前記ホールカバー７内には図７にも示すように、ステアリングコラムを貫通する穴１２を有するダストシール部材１３がビス止めにより取り付けられていた。前記防水シール部材１１は図８で示すように、周囲にリップ１１ａが形成され、ホールカバー７をフロアに締結するためのボルトを貫通するボルト穴１４が設けられている構造である。
【０００３】
【発明が解決しようとする課題】
上記従来構造では、防水シール部材１１とダストシール部材１３はそれぞれ別体であり、ダストシール部材１３はホールカバー７内にビス止めするため、その組付け工数が必要であると共に、ホールカバー７内にはダストシール部材１３の取付座を形成しなければならずコスト高である。また、防水シール部材１１はホールカバー７をフロアに締結するボルトが貫通されるため、このボルトが貫通しているリップ１１ａの圧接力は得られるが、ボルト間のリップ１１ａは圧接力が弱く、全周囲に渡って均等な圧接力が得られず防水シール機能を十分に果たしていない。
【０００４】
本発明の目的は、１つの部材によって防水シールとダストシールとの両機能を備え、かつ防水シール機能が十分得られるようにしたステアリングコラムのダストカバー構造を提供することである。
【０００５】
【課題を解決するための手段】
上記の目的を達成するため本発明は、４隅にホールカバーをフロアに締結するためのボルトを通過させる切欠凹部が形成され、ステアリングシャフトを貫通するためにフロアに開設されている開口部の周囲と前記ホールカバーとの間に挾みこまれる防水シール部及び前記ステアリングシャフトを貫通する穴が開設され前記開口部を塞ぐダストシール部とが一体形成されたゴムプレートと、前記ホールカバーの前記フロアに開設されている開口部の周囲と前記ホールカバーとの間に挾みこまれたゴムプレートの外周で前記切欠凹部に対応する４隅に前記ボルトによりホールカバーをフロアに締結するために形成された締付座面とからなり、前記防水シール部には前記ホールカバーの締付座面から離間した部位にフロアに圧接するリップを備え、前記締付座面のボルト締めにより前記ゴムプレートをホールカバーとフロアとの間に介在挟着して、この圧縮力によって前記リップをフロアに圧接したことを特徴とするものである。
【０００６】
【発明の実施の形態】
以下本発明の実施の形態例を図面に基づいて説明する。図１において、１はゴムプレートであり、その４隅には図２、図４及び図５で示すように、ホールカバー７をフロア６に締結するためのボルト１０を通過させる切欠凹部２が形成されている。
【０００７】
前記ゴムプレート１には、ステアリングシャフト１５を貫通するためにフロア６に開設されている開口部６ａの周囲と前記ホールカバー７との間に挾みこまれる防水シール部３と、前記ステアリングシャフト１５を貫通する穴４が開設され前記開口部６ａを塞ぐダストシール部５とが一体形成されている。
【０００８】
また、前記防水シール部３には前記ホールカバー７の締付座面８から離間した部位にフロア６に圧接するリップ９を備え、前記ゴムプレート１を前記ホールカバー７のボルト締めによる圧縮力によってホールカバー７とフロア６との間に介在挟着した構造である。
【０００９】
本発明は上記の構造であるから、ホールカバー７とフロア６との間に介在挟着した１つのゴムプレート１により、これに形成されている防水シール部３によってホールカバー７とフロア６との間からの浸水を防止し、ダストシール部５によってフロア６に開設されているステアリングシャフト１５を貫通するための開口部６ａを塞いでダストの侵入を防止するものである。従って、従来のように、防水シール部材とダストシール部材が別体ではなく、組付け工数が低減され、コストダウンが図られる。
【００１０】
また、ゴムプレート１は、その４隅に形成されている切欠凹部２をボルト１０が通過してフロア６にボルト締結するホールカバー７とフロア６との間に介在挟着されるため、この圧縮力によって防水シール部３のリップ９は全周囲に渡って均等に圧接され、防水シール機能を十分に果たしている。
【００１１】
さらに、防水シール部３のリップ９はホールカバー７の締付座面８から離間した部位に備えているため、ホールカバー７の締付時に締付座面８に乗り上げて挾み込まれ、リップ９の破損や締付座面８とフロア６との間の隙間を形成する不具合を防止している。
【００１２】
【発明の効果】
以上述べたように本発明によると、１つのゴムプレートによりホールカバーとフロアとの間からの浸水を防止し、フロアに開設されているステアリングシャフトを貫通するための開口部を塞いでダストの侵入を防止するものであるから、部品点数の削減と組付け工数が低減され、コストダウンが図られる。また、防水シール部のリップはホールカバーの締付座面に乗り上げることがなく、全周囲に渡って均等に圧接され、防水シール機能を十分に果たすことができる利点を有している。
【図面の簡単な説明】
【図１】本発明によるゴムプレートの平面図。
【図２】本発明のステアリングコラムのダストカバー構造の断面図。
【図３】本発明によるゴムプレートの裏面図。
【図４】図３のＢ−Ｂ線断面図。
【図５】図２のＡ矢視図。
【図６】従来構造の断面図。
【図７】図６のＣ矢視図。
【図８】図６のＤ矢視図。
【符号の説明】
１      ゴムプレート
２      切欠凹部
３      防水シール部
４      穴
５      ダストシール部
６      フロア
６ａ    開口部
７      ホールカバー
８      締付座面
９      リップ
１０    ボルト
１５    ステアリングシャフト
【図１】
0003821959.tif 000002
【図２】
0003821959.tif 000003
【図３】
0003821959.tif 000004
【図４】
0003821959.tif 000005
【図５】
0003821959.tif 000006
【図６】
0003821959.tif 000007
【図７】
0003821959.tif 000008
【図８】
0003821959.tif 000009